(57)【特許請求の範囲】
【請求項１】
２つのプリント基板間に取り付けられるコネクターアセンブリーであって、
プラグコネクターと、該プラグコネクターと噛み合わされたソケットコネクターとを含み、
前記プラグコネクターは、第１絶縁用ハウジングと、該第１絶縁用ハウジングに取り付けられた少なくとも１つの列の第１端子とを有し、
各第１端子は、はんだ付け部分と、該はんだ付け部分に形成された第１本体部分とを有し、該第１本体部分は、前記はんだ付け部分に形成され該はんだ付け部分から垂直に突出する内部接続部と、該内部接続部に形成され前記内部接続部から突出する弾性アーム部と、該弾性アーム部に形成され前記弾性アーム部から外方へ突出する障害部とを有し、
前記ソケットコネクターは、２つの端部と、それぞれが頂部分及び底部分を有する、相対する２つの側部と、少なくとも１つの列の取付け用凹所であって各列の取付け用凹所が前記側部の前記底部分に形成されている少なくとも１つの列の取付け用凹所と、少なくとも１つの列の貫通孔であって各列の貫通孔が前記側部に形成され、各貫通孔が上方及び下方へ開放されている少なくとも１つの列の貫通孔とを有する第２絶縁用ハウジングと、
前記少なくとも１つの列の第１端子に対応し、また前記少なくとも１つの列の取付け用凹所に対応し、また前記少なくとも１つの列の貫通孔に対応する少なくとも１つの列の第２端子であって各列の第２端子が、対応する列の前記取付け用凹所に取り付けられ、かつ、対応する列の前記第１端子と噛み合わされている少なくとも１つの列の第２端子と、
前記少なくとも１つの列の第１端子に対応し、また前記少なくとも１つの列の第２端子に対応する少なくとも１つの列のショルダー部分であって各列のショルダー部分が、前記第２絶縁用ハウジングの前記側部に形成され該側部から内方へ突出しており、かつ、対応する列の前記第１端子の前記障害部と噛み合わされている少なくとも１つの列のショルダー部分とを有し、
各第２端子は、はんだ付け部分と、該はんだ付け部分に形成され、前記第２絶縁用ハウジングに取り付けられた第２本体部分であって対応する列の前記貫通孔に該貫通孔の下方から取り付けられた取付け用タブを有する第２本体部分と、該第２本体部分に形成され、前記第２本体部分から突出する螺旋状アーチ部分であって上端部を有する螺旋状アーチ部分と、該螺旋状アーチ部分の前記上端部に形成され、対応する前記第１端子の前記内部接続部に接続された内側接続部分とを有する、コネクターアセンブリー。
【発明の詳細な説明】
【技術分野】
【０００１】
本発明は、コネクターアセンブリー、より詳細には、プラグコネクターと、該プラグコネクターと強固に噛み合わされたソケットコネクターとを有するコネクターアセンブリーに関する。
【背景技術】
【０００２】
２つのプリント基板（ＰＣＢ）間の信号伝送は、一般に、一方のプリント基板のプラグコネクターと、他方のプリント基板のソケットコネクターとを有するコネクターアセンブリーを介して行われる。
【０００３】
図９に示すように、従来のコネクター１００は、プラグコネクター１０と、ソケットコネクター２０とを含む。プラグコネクター１０は１列の第１端子を有する。ソケットコネクター２０は、前記１列の第１端子に接続された１列の第２端子を有する。
【０００４】
各第１端子は、固定構造を有しておらず、対応する第２端子に一点で接続されているに過ぎない。このため、プラグコネクター１０とソケットコネクター２０との噛み合わせとその解除とが繰り返された後、プラグコネクター１０は、ソケットコネクター２０に緩く噛み合わされ、該ソケットコネクターから容易に外れる。
【発明の開示】
【発明が解決しようとする課題】
【０００５】
本発明は、前記した問題点を改善するコネクターアセンブリーを提供する。
【０００６】
本発明の目的は、プラグコネクターと、該プラグコネクターと強固に噛み合わされたソケットコネクターとを有するコネクターアセンブリーを提供することである。
【課題を解決するための手段】
【０００７】
本発明に係るコネクターアセンブリーは、プラグコネクターと、ソケットコネクターとを含む。前記プラグコネクターは、第１絶縁用ハウジングと、少なくとも１つの列の第１端子とを有する。前記第１端子は前記第１絶縁用ハウジングに取り付けられており、各第１端子は、内部接続部と、障害部とを有する。前記ソケットコネクターは、第２絶縁用ハウジングと、前記少なくとも１つの列の第１端子に対応する少なくとも１つの列の第２端子とを有する。前記第２端子は前記第１端子と噛み合わされており、各第２端子は、内側接触部分と、ショルダー部分とを有する。前記内側接触部分は１つの第１端子の前記内部接触部に接続されている。前記ショルダー部分は、１つの第１端子の前記障害部と噛み合わされており、前記第１端子が意図せずに前記第２端子から外れるのを防止する。
【０００８】
本発明の他の目的、利点及び新規な特徴は、添付の図面に関する以下の詳細な説明からより明らかになる。
【発明を実施するための最良の形態】
【０００９】
図１、２に示すように、本発明の第１実施例に係るコネクターアセンブリー５０は、プラグコネクター３０と、ソケットコネクター４０とを含む。コネクターアセンブリー５０は２つのプリント基板間に取り付けられる。
【００１０】
プラグコネクター３０は、第１絶縁用ハウジング１と、２つの列の第１端子２と、２つの接地端子３とを有する。
【００１１】
第１絶縁用ハウジング１は、２つの端部と、相対する２つの側部１２と、中空部１１と、２つの列の取付け用凹所１３とを有する。各列の取付け用凹所１３は側部１２に形成されており、各取付け用凹所１３は内面１３１を有する。
【００１２】
図３、４に示すように、２つの列の第１端子２は側部１２に対応しており、各列の第１端子２は、対応する側部１２の取付け用凹所１３に内面１３１に隣接して取り付けられている。各第１端子２は、図３に示したように、はんだ付け部分２１と、第１本体部分２２とを有するＬ字形の半製品の第１端子からなる。第１本体部分２２は、はんだ付け部分２１に形成され、該はんだ付け部分から垂直に突出している。第１本体部分２２は、該第１本体部分を上部と下部とに分ける湾曲ノッチ部２３を有する。前記下部は、弾性アーム部２５及び障害部２６を形成するために曲げられ、前記上部は内部接触部２４を形成している。このため、完成品の各第１端子２は、はんだ付け部分２１と、第１本体部分２２とを有し、該第１本体部分は、内部接触部２４と、弾性アーム部２５と、湾曲ノッチ部２３と、障害部２６とを有する。
【００１３】
内部接触部２４は、はんだ付け部分２１に形成され、該はんだ付け部分から垂直に突出している。
【００１４】
弾性アーム部２５は、内部接触部２４に形成され、該内部接触部から垂直に突出しており、はんだ付け部分２１に対してほぼ平行である。
【００１５】
湾曲ノッチ部２３は内部接触部２４と弾性アーム部２５との間にある。
【００１６】
障害部２６は、弾性アーム部２５に形成され、該弾性アーム部から外方へ突出しており、内部接触部２４と相対している。
【００１７】
各接地端子３は第１絶縁用ハウジング１の前記端部に取り付けられている。
【００１８】
ソケットコネクター４０は、プラグコネクター３０と噛み合わされており、第２絶縁用ハウジング４と、２つの列の第２端子５と、２つの接地端子６とを有する。
【００１９】
図５に示すように、第２絶縁用ハウジング４は、２つの端部と、相対する２つの側部４３と、中空部４１と、突部４２と、２つの列の取付け用凹所４４と、２つの列の貫通孔４５とを有する。各側部４３は頂部分と底部分とを有する。中空部４１は内底面を有する。突部４２は、第２絶縁用ハウジング４の側部４３間にあって中空部４１の前記内底面に形成され、該内底面から突出しており、第１絶縁用ハウジング１の中空部１１内で伸びる。突部４２は、相対する２つの側壁と、２つの列の取付け用スロット４６とを有する。各列の取付け用スロット４６は前記側壁に形成されており、各取付け用スロット４６は上方へ開放されている。２つの列の取付け用凹所４４は２つの列の取付け用スロット４６に対応している。各列の取付け用凹所４４は、第２絶縁用ハウジング４の側部４３の前記頂部分に形成され、対応する列の取付け用スロット４６と整列されている。２つの列の貫通孔４５は２つの列の取付け用スロット４６に対応している。各列の貫通孔４５は、第２絶縁用ハウジング４の側部４３に形成され、対応する列の取付け用スロット４６と整列されている。各貫通孔４５は上方及び下方へ開放されている。
【００２０】
図６、７に示すように、２つの列の第２端子５は、第２絶縁用ハウジング４の側部４３に対応しており、２つの列の取付け用スロット４６に対応しており、２つの列の取付け用凹所４４に対応しており、２つの列の貫通孔４５に対応しており、２つの列の第１端子２に対応している。各列の第２端子５は、対応する側部４３における、対応する列の貫通孔４５に対応しており、該貫通孔に取り付けられ、また、対応する列の取付け用凹所４４に対応しており、該取付け用凹所に取り付けられ、また、対応する列の取付け用スロット４６に対応しており、該取付け用スロット内で伸び、また、対応する列の第１端子２に対応しており、該第１端子と噛み合わされている。各第２端子５は、はんだ付け部分５１と、第２本体部分５２と、螺旋状アーム部分５３と、内側接触部分５４と、ショルダー部分５５とを有する。
【００２１】
はんだ付け部分５１は第２絶縁用ハウジング４の側部４３の外側に位置する。
【００２２】
第２本体部分５２は、ｍ字形を呈しており、はんだ付け部分５１に形成され、第２絶縁用ハウジング４の対応する側部４３に取り付けられている。第２本体部分５２は、クロスバー部分５２１と、取付け用タブ５２２とを有する。クロスバー部分５２１は、はんだ付け部分５１に形成され、該はんだ付け部分から突出している。取付け用タブ５２２は、クロスバー部分５２１に形成され、該クロスバー部分から下方へ垂直に突出しており、対応する貫通孔４５に該貫通孔の上方から取り付けられている。
【００２３】
螺旋状アーム部分５３は、第２本体部分５２のクロスバー部分５２１に形成され、該クロスバー部分から突出している。螺旋状アーム部分５３は、対応する取付け用スロット４６内で伸び、上端部を有する。
【００２４】
内側接触部分５４は、螺旋状アーム部分５３の前記上端部に形成され、対応する第１端子２の内部接触部２４に接続されている。
【００２５】
ショルダー部分５５は、第２端子５の第２本体部分５２に形成され、該第２本体部分から突出しており、内側接触部分５４と相対しており、対応する第１端子２の障害部２６と噛み合わされ、該障害部を固定している。対応する第１端子２を第２端子５と噛み合わせるとき、第１端子２の障害部２６が第２端子５のショルダー部分５５を通り過ぎる間、第１端子２の弾性アーム部２５は、曲げられ、圧迫される。第１端子２の障害部２６が第２端子５のショルダー部分５５を通り過ぎた後、第１端子２の弾性アーム部２５は広がり、第１端子２の障害部２６は、第２端子５のショルダー部分５５下に位置するようになり、該ショルダー部分により固定される。このため、第２端子５は、対応する第１端子２と強固に噛み合わされる。
【００２６】
各接地端子６は第２絶縁用ハウジング４の前記端部に取り付けられている。
【００２７】
図８に示すように、第２実施例に係るコネクターアセンブリー５０は、第１実施例と類似しているが、第１実施例のソケットコネクター４０と異なるソケットコネクター４０ａを有する。各列の取付け用凹所４４ａは第２絶縁用ハウジング４の側部４３ａの前記底部分に形成されている。各第２端子５ａの第２本体部分５２ａの取付け用タブ５２２ａは、上方へ突出しており、対応する貫通孔４５に該貫通孔の下方から取り付けられている。２つの列のショルダー部分５５ａは、複数の第１端子２に対応し、また複数の第２端子５ａに対応しており、第２絶縁用ハウジング４の側部４３ａに形成され、該側部から内方へ突出している。各列のショルダー部分５５ａは、対応する列の第１端子２の障害部２６と噛み合わされている。
【００２８】
信号伝送がコネクターアセンブリー５０を介して安定して行われるように、プラグコネクター３０の障害部２６とソケットコネクター４０、４０ａのショルダー部分５５、５５ａとの強固な噛み合わせは、プラグコネクター３０がソケットコネクター４０、４０ａから意図せずに外れるのを防ぐ。
【図面の簡単な説明】
【００２９】
【図１】本発明の第１実施例に係るコネクターアセンブリーの分解斜視図。
【図２】本発明の第１実施例に係るコネクターアセンブリーの他の分解斜視図。
【図３】半製品の第１端子を備える、本発明の第１実施例に係るコネクターアセンブリーのプラグコネクターの断面図。
【図４】完成品の第１端子を備える、本発明の第１実施例に係るコネクターアセンブリーのプラグコネクターの断面図。
【図５】本発明の第１実施例に係るコネクターアセンブリーのソケットコネクターの断面図。
【図６】プラグコネクターがソケットコネクターと噛み合わされている、本発明の第１実施例に係るコネクターアセンブリーの平面図。
【図７】図６の線７におけるコネクターアセンブリーの断面図。
【図８】プラグコネクターがソケットコネクターと噛み合わされている、本発明の第２実施例に係るコネクターアセンブリーの断面図。
【図９】プラグコネクターがソケットコネクターと噛み合わされている、従来のコネクターアセンブリーの断面図。
【符号の説明】
【００３０】
１    第１絶縁用ハウジング
２    第１端子
４    第２絶縁用ハウジング
５、５ａ    第２端子
１１、４１    中空部
１２、４３、４３ａ    側部
１３、４４、４４ａ    取付け用凹所
２１、５１    はんだ付け部分
２２    第１本体部分
２３    湾曲ノッチ部
２４    内部接触部
２５    弾性アーム部
２６    障害部
３０    プラグコネクター
４０、４０ａ    ソケットコネクター
４２    突部
４５    貫通孔
４６    取付け用スロット
５０    コネクターアセンブリー
５２、５２ａ    第２本体部分
５３    螺旋状アーム部分
５４    内側接触部分
５５、５５ａ    ショルダー部分
５２１    クロスバー部分
５２２、５２２ａ    取付け用タブ
【図１】
0004418478.tif 000002
【図２】
0004418478.tif 000003
【図３】
0004418478.tif 000004
【図４】
0004418478.tif 000005
【図５】
0004418478.tif 000006
【図６】
0004418478.tif 000007
【図７】
0004418478.tif 000008
【図８】
0004418478.tif 000009
【図９】
0004418478.tif 000010